(57)【要約】【課題】車両の走行中においても、受信データの受信品質を維持しながら、電力消費を低減させること。【解決手段】本発明の車載受信装置（１）は、車両に設置した複数のアンテナに対応して設けられた複数の受信系統（１０）と、前記複数の受信系統（１０）で受信した受信信号を合成して受信データを復調する復調処理回路（２０）と、受信品質に影響を与える複数の影響項目が予め定められ、影響項目が示す受信状況に対応させて必要受信系統数を決める重みづけ係数が影響項目毎に設定され、車両走行中に前記各影響項目が示す受信状況からそれぞれの重みづけ係数を決定し、決定した重みづけ係数を用いて現在の通信環境での必要受信系統数を算出する算出部（６０）と、を具備する。【選択図】図１
2013058851.tif 000002
【特許請求の範囲】
【請求項１】
車両に設置した複数のアンテナに対応して設けられた複数の受信系統と、
前記複数の受信系統で受信した受信信号を合成して受信データを復調する復調部と、
受信品質に影響を与える複数の影響項目が予め定められ、影響項目が示す受信状況に対応させて必要受信系統数を決める重みづけ係数が影響項目毎に設定され、車両走行中に前記各影響項目が示す受信状況からそれぞれの重みづけ係数を決定し、決定した重みづけ係数を用いて現在の通信環境での必要受信系統数を算出する算出部と、
を具備することを特徴とする車載受信装置。
【請求項２】
前記算出部によって算出された必要受信系統数を前記複数の受信系統の総数から減算した数の受信系統に対する電源供給を制限する電源制御部を具備することを特徴とする請求項１記載の車載受信装置。
【請求項３】
前記影響項目は、前記車両の移動速度と、前記受信系統で受信された受信信号のＣ／Ｎ（Carrier  to  Noise  Ratio）と、前記受信系統で受信された受信信号の電界強度と、前記受信系統でのマルチパス数と、を含むことを特徴とする請求項１に記載の車載受信装置。
【請求項４】
前記算出部は、前記複数の受信系統の総数をｎ、前記移動速度に応じた重みづけ係数をＷｓｐ、前記受信状況として検出された前記Ｃ／Ｎの重みづけ係数をＷｃｎ、前記受信状況として検出された前記電界強度の重みづけ係数をＷｅｆ、前記受信状況として検出された前記マルチパスの重みづけ係数をＷｍｐとする場合、必要受信系統数ＢＲを、
ＢＲ＝ｎ＊（Ｗｓｐ＋Ｗｍｐ＋Ｗｅｆ＋Ｗｃｎ）／４
を用いて算出することを特徴とする請求項３に記載の車載受信装置。
【請求項５】
前記複数の受信系統には、それぞれ、前記アンテナからの出力信号を増幅する増幅回路と、前記増幅回路からの出力信号を中間周波数信号に変換するチューナーとが設けられることを特徴とする請求項１から請求項４のいずれかに記載の車載受信装置。
【請求項６】
前記複数の受信系統における前記受信信号を合成して取得された前記受信データを復号する復号回路と、
前記復号回路で復号された受信データを再生する再生装置と、を更に具備し、
前記再生装置は、前記車両の後部座席用に設置されることを特徴とする請求項１から請求項５のいずれかに記載の車載受信装置。
【発明の詳細な説明】
【技術分野】
【０００１】
本発明は、地上デジタルテレビジョン放送受信用のダイバーシチ装置に適用可能な車載受信装置に関する。
【背景技術】
【０００２】
近年、地上波デジタル放送受信用の車載受信装置が開発されている。かかる車載受信装置では、アンテナ、アンプ、チューナーを有する受信系統が複数設けられ、当該複数の受信系統から出力された受信信号を最大比合成して受信データが生成され、生成された受信データに基づいて地上波デジタル放送の再生が行なわれる（例えば、特許文献１）。
【０００３】
このような車載受信装置では、車両の停止中においては、車両の移動に伴うフェージング等の影響が少なくなることから、全ての受信系統の受信信号を合成せずとも所望の受信品質の受信データを得ることが可能である。そこで、上述の車載受信装置では、車両の停止中において、一部の受信系統に対する電源供給を制限する。この結果、上述の車載受信装置では、車両の停止中においては、全受信系統に対する電源供給を維持する場合と比較して電力消費を低減させることができる。
【先行技術文献】
【特許文献】
【０００４】
【特許文献１】特開２０１０−１６１６９１号公報
【発明の概要】
【発明が解決しようとする課題】
【０００５】
しかしながら、上述の車載受信装置では、車両の走行中においては、所望の受信品質の受信データを得るために全受信系統に対する電源供給を維持し続けるため、電力消費を低減させることができないという問題点があった。
【０００６】
本発明はかかる点に鑑みてなされたものであり、車両の走行中においても、受信データの受信品質を維持しながら、電力消費を低減させることが可能な車載受信装置を提供することを目的とする。
【課題を解決するための手段】
【０００７】
本発明の車載受信装置は、車両に設置した複数のアンテナに対応して設けられた複数の受信系統と、前記複数の受信系統で受信した受信信号を合成して受信データを復調する復調部と、受信品質に影響を与える複数の影響項目が予め定められ、影響項目が示す受信状況に対応させて必要受信系統数を決める重みづけ係数が影響項目毎に設定され、車両走行中に前記各影響項目が示す受信状況からそれぞれの重みづけ係数を決定し、決定した重みづけ係数を用いて現在の通信環境での必要受信系統数を算出する算出部と、を具備することを特徴とする。
【０００８】
この構成によれば、受信品質に影響を与える複数の影響項目が予め定められ、影響項目が示す受信状況に対応させて必要受信系統数を決める重みづけ係数が影響項目毎に設定され、車両走行中に各影響項目が示す受信状況からそれぞれの重みづけ係数を決定し、決定した重みづけ係数を用いて現在の通信環境での必要受信系統数を算出する。このため、車両の走行中において通信環境が刻々と変化する場合であっても、現在の通信環境に対応した必要受信系統数の受信系統に対して電源供給を継続することができ、受信データの受信品質を維持しながら、電力消費を低減させることができる。
【０００９】
上記車載受信装置において、前記算出部によって算出された必要受信系統数を前記複数の受信系統の総数から減算した数の受信系統に対する電源供給を制限する電源制御部を具備してもよい。
【００１０】
上記車載受信装置において、前記影響項目は、前記車両の移動速度と、前記受信系統で受信された受信信号のＣ／Ｎ（Carrier  to  Noise  Ratio）と、前記受信系統で受信された受信信号の電界強度と、前記受信系統でのマルチパス数と、を含んでもよい。
【００１１】
この構成によれば、影響項目として、車両の走行中における移動速度、各受信系統における受信信号のＣ／Ｎ及び電界強度、各受信系統における受信信号の合成結果に基づいて推定されたマルチパス数が用いられる。このため、車両の移動速度が相対的に低くても、ビル陰等、受信品質が悪化し易い場合には、必要受信系統数を増加させることができる。
【００１２】
上記車載受信装置において、前記算出部は、前記複数の受信系統の総数をｎ、前記移動速度に応じた重みづけ係数をＷｓｐ、前記受信状況として検出された前記Ｃ／Ｎの重みづけ係数をＷｃｎ、前記受信状況として検出された前記電界強度の重みづけ係数をＷｅｆ、前記受信状況として検出された前記マルチパスの重みづけ係数をＷｍｐとする場合、必要受信系統数ＢＲを、
ＢＲ＝ｎ＊（Ｗｓｐ＋Ｗｍｐ＋Ｗｅｆ＋Ｗｃｎ）／４
を用いて算出してもよい。
【００１３】
上記車載受信装置において、前記複数の受信系統には、それぞれ、前記アンテナからの出力信号を増幅する増幅回路と、前記増幅回路からの出力信号を中間周波数信号に変換するチューナーとが設けられてもよい。
【００１４】
上記車載受信装置において、前記複数の受信系統における前記受信信号を合成して取得された前記受信データを復号する復号回路と、前記復号回路で復号された受信データを再生する再生装置と、を更に具備し、前記再生装置は、前記車両の後部座席用に設置されてもよい。
【発明の効果】
【００１５】
本発明により、車両の走行中においても、受信データの受信品質を維持しながら、電力消費を低減させることが可能な車載受信装置を提供できる。
【図面の簡単な説明】
【００１６】
【図１】本実施の形態に係る車載受信装置の構成図である。
【図２】本実施の形態に係る受信系統総数に対する重みづけ係数を説明するための図である。
【図３】本実施の形態に係る必要受信系統数を説明するための図である。
【図４】本実施の形態に係る必要受信系統数の算出動作を示すフローチャートである。
【発明を実施するための形態】
【００１７】
以下、本発明の実施の形態について、図面を参照して詳細に説明する。本発明の実施の形態に係る車載受信装置は、車両に搭載され、地上デジタルテレビジョン放送などの放送信号を受信する車載受信装置である。
【００１８】
図１は、本実施の形態の車載受信装置の構成図である。図１に示すように、車載受信装置１は、複数の受信系統１０１〜１０ｎと、複数の受信系統１０１〜１０ｎにおける受信信号をそれぞれ復調して合成する復調部２０と、復調部２０で合成された受信データを復号する復号回路３０と、復号回路３０で復号された受信データを再生する再生装置４０と、車載受信装置１が搭載される車両の移動速度を検出する移動速度検出部５０と、複数の受信系統１０１〜１０ｎのうちの必要受信系統数を算出する算出部６０と、複数の受信系統１０１〜１０ｎに対する電源供給を制御する電源制御部７０と、から構成される。
【００１９】
複数の受信系統１０１〜１０ｎは、それぞれ、アンテナ１１１〜１１ｎから出力される受信信号を増幅するアンプ１２１〜１２ｎ（増幅回路）と、アンプ１２１〜１２ｎとチューナー１４１〜１４ｎとを接続する電線に対して電源電圧を印加するアンプＤＣサプライ１３１〜１３ｎと、アンプＤＣサプライ１３１〜１３ｎに接続され、アンプ１２１〜１２ｎで増幅された増幅信号を選局及び中間周波数信号に変換するチューナー１４１〜１４ｎと、チューナー１４１〜１４ｎから出力されたアナログ信号をデジタル信号に変換するＡＤＣ（アナログデジタルコンバーター）１５１〜１５ｎと、を備えて構成される。
【００２０】
アンテナ１１１〜１１ｎとアンプ１２１〜１２ｎとは、車載受信装置１の筐体外に配置される。このように、アンプ１２１〜１２ｎが筐体外に設けられる場合でも、アンプ１２１〜１２ｎにアンプＤＣサプライ１３１〜１３ｎが直接接続されているので、アンプ１２１〜１２ｎに対する電源供給を行うことができる。以下、複数の受信系統１０１〜１０ｎを区別しない場合は、受信系統１０と総称する。
【００２１】
復調部２０は、各ＡＤＣ１５から出力された受信信号を合成し、合成信号に対してＦＦＴ（Fast  Fourier  Transform）や、マルチパスの打ち消し処理、デ・マッピング処理等を行う。
【００２２】
また、復調部２０は、Ｃ／Ｎ（Carrier  to  Noise  Ratio）検出部２１と、電界強度検出部２２と、伝送路推定部２３と、を含む。Ｃ／Ｎ検出部２１は、電源供給が行なわれている各受信系統１０で受信された受信信号のＣ／Ｎを検出する。電界強度検出部２２は、電源供給が行なわれている各受信系統１０で受信された受信信号の電界強度を検出する。伝送路推定部２３は、電源供給が行なわれている各受信系統１０で受信された受信信号に基づいてマルチパス数を推定する。
【００２３】
復号回路３０は、復調部２０に接続されており、復調部２０から入力された受信データを復号し、再生装置４０に出力する。再生装置４０は、ディスプレーやスピーカ等から構成されており、復号回路３０から入力された受信データを再生する。再生装置４０は、車両の運転手の運転に影響を与えることがないように、例えば、後部座席に設置されてもよい。
【００２４】
移動速度検出部５０は、車両の走行中における移動速度を検出する。移動速度検出部５０は、例えば、車両に設置された速度計や、ナビゲーション装置からの入力信号に基づいて、車両の走行中における移動速度を検出する。
【００２５】
算出部６０は、車両の走行中における必要受信系統数を算出する。ここで、必要受信系統数とは、複数の受信系統１０１〜１０ｎの総数（以下、受信系統総数という）のうち電源供給を行う受信系統１０の数である。具体的には、算出部６０は、車両の走行中における上記受信データが所望の受信品質を満たすように、影響項目の値に応じて重みづけ係数を決定し、決定した重みづけ係数を用いて現在の通信環境での必要受信系統数を算出する。
【００２６】
ここで、影響項目とは、上記受信データの受信品質に影響を与える項目であり、例えば、移動速度検出部５０で検出される移動速度と、Ｃ／Ｎ検出部２１で検出されたＣ／Ｎ（Carrier  to  Noise  Ratio）と、電界強度検出部２２で検出された電界強度と、伝送路推定部２３で推定されたマルチパス数のような複数の項目が用いられる。これらの各影響項目の値によって、電源供給が行なわれている受信系統１０における受信状況が示される。また、上述の重みづけ係数は、各影響項目が示す受信状況に対応した必要受信系統数を決定するためのものである。各影響項目の重みづけ係数は、各影響項目が示す受信状況に応じて決定される。
【００２７】
図２は、各影響項目が示す受信状況に応じた重みづけ係数を説明するための図である。また、図２においては、影響項目として、例えば、移動速度検出部５０で検出される移動速度、Ｃ／Ｎ検出部２１で検出されるＣ／Ｎ、電界強度検出部２２で検出される電界強度、伝送路推定部２３で推定されるマルチパス数を用いる例を示している。なお、Ｃ／Ｎ検出部２１では、受信系統１０毎に受信信号のＣ／Ｎが検出されるので、これらの平均値が影響項目として用いられてもよい。同様に、電界強度検出部２２では、受信系統１０毎に受信信号の電界強度が検出されるので、これらの平均値が影響項目として用いられてもよい。以下において、影響項目として用いるＣ／Ｎとは、受信系統１０毎の受信信号のＣ／Ｎの平均値を示し、影響項目として用いる電界強度は受信系統１０毎に受信信号の電界強度の平均値を示すものとして説明を行う。また、図２の横軸は、各影響項目の値を示し、縦軸は、影響項目毎の重みづけ係数を示すものとする。
【００２８】
図２に示すように、影響項目としての移動速度が相対的に大きくなるにつれて、移動速度に応じた重みづけ係数（以下、移動速度係数という）Ｗｓｐは大きくなるように設定される。これは、移動速度が大きくなるにつれ、フェージング等の影響を受け易くなることから、受信系統数を増加させる必要があるためである。なお、図２に示すように、移動速度が所定値以下の場合、移動速度係数Ｗｓｐを緩やかに増加させ、移動速度が所定値を超える場合、移動速度係数Ｗｓｐを急激に増加させてもよい。これは、移動速度が所定値以下の場合、フェージング等の影響は大きく変化しないためである。
【００２９】
また、影響項目としてのマルチパス数が相対的に大きくなるにつれて、マルチパス数に応じた重みづけ係数（以下、マルチパス係数という）Ｗｍｐは大きくなるように設定される。これは、マルチパス数が大きくなるにつれ、シンボル間干渉により受信状況が悪化することから、受信系統数を増加させる必要があるためである。なお、図２に示すように、マルチパス数が所定値以下の場合、マルチパス係数Ｗｍｐを急激に増加させ、マルチパス数が所定値を超える場合、マルチパス係数Ｗｍｐを緩やかに増加させてもよい。これは、マルチパス数が所定値を超えると、受信状況に与える影響は大きく変化しなくなるためである。
【００３０】
また、Ｃ／Ｎが相対的に大きくなるにつれて、Ｃ／Ｎに応じた重みづけ係数（以下、Ｃ／Ｎ係数という）Ｗｃｎは小さくなるように設定される。これは、Ｃ／Ｎが大きくなるにつれ、受信状況は良好となるため、受信系統数を削減可能であるためである。なお、図２に示すように、Ｃ／Ｎが所定値以下の場合、Ｃ／Ｎ係数Ｗｃｎを一定（例えば、１）とし、Ｃ／Ｎが所定値を超える場合、Ｃ／Ｎ係数Ｗｃｎを徐々に削減してもよい。これは、Ｃ／Ｎが所定値以下の場合、所望の受信状況は満たされないことから、受信系統数を維持する必要があるためである。
【００３１】
また、電界強度が相対的に大きくなるにつれて、電界強度に応じた重みづけ係数（以下、電界強度係数という）Ｗｅｆは小さくなるように設定される。これは、電界強度が大きくなるにつれ、受信状況は良好となるため、受信系統数を削減可能であるためである。
【００３２】
以上のように、算出部６０は、各影響項目の受信状況に応じた重みづけ係数を決定し、決定された重みづけ係数をそれぞれ受信系統総数に乗算して、影響項目毎の必要受信系統数を算出する。
【００３３】
図３は、影響項目毎の必要受信系統数を説明するための図である。また、図３の横軸は、各影響項目の値を示し、縦軸は、影響項目毎の必要受信系統数を示すものとする。なお、図３では、算出された必要受信系統数が小数点以下を有する場合は、切り上げられた値が示されている。
【００３４】
図３に示すように、移動速度が相対的に大きくなるにつれて、移動速度係数Ｗｓｐが大きく設定されるので（図２参照）、移動速度に応じた必要受信系統数Ｎｓｐは大きくなる。例えば、移動速度がｘである場合、図２に示すように移動速度係数Ｗｓｐは略０．２に設定されるので、移動速度（ここでは、ｘ）に応じた必要受信系統数Ｎｓｐは、移動速度係数Ｗｓに受信系統総数ｎを乗算した０．２ｎである。なお、図示しないが、マルチパス数に応じた必要受信系統数Ｎｍｐについても、移動速度に応じた必要受信系統数Ｎｓｐと同様に、マルチパス数が相対的に大きくなるにつれて、大きくなる。
【００３５】
一方、Ｃ／Ｎ係数が相対的に大きくなるにつれて、Ｃ／Ｎ係数Ｗｃｎは小さく設定されるので（図２参照）、Ｃ／Ｎに応じた必要受信系統数Ｎｃｎは小さくなる。図示しないが、電界強度に応じた必要受信系統数Ｎｅｆについても、Ｃ／Ｎに応じた必要受信系統数Ｎｃｎと同様に、電界強度が相対的に大きくなるにつれて、小さくなる。
【００３６】
以上のように、算出部６０は、各影響項目が示す受信状況に応じた重みづけ係数を受信系統総数ｎに乗算して、影響項目毎の必要受信系統数を算出する。また、算出部６０は、算出した影響項目毎の必要受信系統数を影響項目数で除算して、車両の走行中における必要受信系統数を算出する。
【００３７】
例えば、必要受信系統数ＢＲは、受信系統総数をｎ、移動速度係数をＷｓｐ、Ｃ／Ｎ係数をＷｃｎ、電界強度係数をＷｅｆ、マルチパス係数をＷｍｐ、影響項目数Ｎｉｎｆ（ここでは、４）とすると、以下の式（１）で算出される。
ＢＲ＝（ｎ＊Ｗｓｐ＋ｎ＊Ｗｃｎ＋ｎ＊Ｗｅｆ＋ｎ＊Ｗｍｐ）／Ｎｉｎｆ
…式（１）
【００３８】
或いは、必要受信系統数ＢＲは、受信系統総数をｎ、移動速度係数をＷｓｐ、Ｃ／Ｎ係数をＷｃｎ、電界強度係数をＷｅｆ、マルチパス係数をＷｍｐ、影響項目数Ｎｉｎｆ（ここでは、４）とすると、以下の式（２）で算出されてもよい。
ＢＲ＝ｎ＊（Ｗｓｐ＋Ｗｍｐ＋Ｗｅｆ＋Ｗｃｎ）／Ｎｉｎｆ
…式（２）
【００３９】
なお、式（１）（２）において、受信系統数は、整数であることから、算出された必要受信系統数ＢＲが小数点以下を有する場合は、切り上げられてもよい。
【００４０】
電源制御部７０は、算出部６０によって算出された必要受信系統数ＢＲを受信系統総数Ｎから減算した数の受信系統１０に対する電源供給を制限する。具体的には、電源制御部７０は、Ｃ／Ｎ検出部２１によって検出された各受信系統１０におけるＣ／Ｎ又は電界強度検出部２２によって検出された各受信系統１０における電界強度に基づいて、電源供給を制限する受信系統１０を決定する。なお、電源制御部７０は、受信系統１０に対する電源供給を制限する際に、当該受信系統１０に対する電源供給を完全に遮断してもよいし、完全に遮断しなくとも必要最低限の電源供給を維持してもよい。
【００４１】
例えば、電源制御部７０は、最も悪いＣ／Ｎを有する受信系統１０から順番に、受信系統総数Ｎから必要受信系統数ＢＲを減算した数の受信系統を、電源供給を制限する受信系統１０として決定してもよい。また、電源制御部７０は、最も悪い電界強度を有する受信系統１０から順番に、受信系統総数Ｎから必要受信系統数ＢＲを減算した数の受信系統１０を、電源供給を制限する受信系統１０として決定してもよい。また、電源制御部７０は、Ｃ／Ｎ及び電界強度の双方を考慮して、電源供給を制限する受信系統１０を決定してもよい。
【００４２】
また、電源制御部７０は、決定された受信系統１０のアンプＤＣサプライ１３に対して、アンプ１２に対する電源供給を制限するように指示する。また、電源制御部７０は、決定された受信系統１０のチューナー１４及びアナログデジタルコンバーター１５に対する電源供給を制限する。
【００４３】
次に、以上のように構成された車載受信装置１の動作について説明する。図４は、車載受信装置１における動作を示すフローチャートである。なお、図４に示すフローは、必要受信系統数を時間的に変更できるように、所定の時間間隔で繰り返されてもよい。必要受信系統数を動的に変更することにより、車両の走行中において刻々と変化する場合であっても、車両の通信環境に応じた数の受信系統１０に電源供給を行うことができる。
【００４４】
図４に示すように、算出部６０は、各影響項目が示す受信状況を取得する（ステップＳ１０１）。上述のように、影響項目とは、複数の受信系統から出力された受信信号を合成して取得される受信データの受信品質に影響を与える各種項目であり、例えば、車両の移動速度、マルチパス数、各受信系統１０におけるＣ／Ｎ及び電界強度などである。以下では、各影響項目が示す受信状況として、Ｃ／Ｎ検出部２１におけるＣ／Ｎの検出値、電界強度検出部２２における電界強度の検出値、伝送路推定部２３におけるマルチパス数の推定値、移動速度検出部５０おける移動速度の検出値が取得されるものとして説明を行う。
【００４５】
算出部６０は、取得した各影響項目が示す受信状況に応じた重みづけ係数を決定する（ステップＳ１０２）。図２を参照して説明したように、移動速度検出部５０によって検出された移動速度に応じた移動速度係数Ｗｓｐ、Ｃ／Ｎ検出部２１によって検出されたＣ／Ｎに応じたＣ／Ｎ係数Ｗｃｎ、電界強度検出部２２によって検出された電界強度係数Ｗｅｆ、伝送路推定部２３によって推定されたマルチパス数に応じたマルチパス係数Ｗｍｐがそれぞれ決定される。
【００４６】
算出部６０は、決定された影響項目毎の重みづけ係数を用いて現在の通信環境での必要受信系統数を算出する（ステップＳ１０３）。具体的には、算出部６０は、受信系統総数に対してステップＳ１０２で決定された重みづけ係数を乗算して、必要受信系統数を算出する。例えば、算出部６０は、上述の式（１）又は式（２）を用いて、最低受信系統数を算出してもよい。
【００４７】
電源制御部７０は、Ｃ／Ｎ検出部２１によって検出された各受信系統１０におけるＣ／Ｎ又は電界強度検出部２２によって検出された各受信系統１０における電界強度に基づいて、電源供給を制限する受信系統１０を決定する（ステップＳ１０４）。具体的には、電源制御部７０は、最も悪いＣ／Ｎを有する受信系統から順番に、受信系統総数から必要受信系統数を減算した数の受信系統を、電源供給を制限する受信系統１０として決定してもよい。また、電源制御部７０は、最も悪い電界強度を有する受信系統から順番に、受信系統総数から必要受信系統数を減算した数の受信系統を、電源供給を制限する受信系統１０として決定してもよい。また、電源制御部７０は、Ｃ／Ｎ及び電界強度の双方を考慮して、電源供給を制限する受信系統１０を決定してもよい。
【００４８】
電源制御部７０は、ステップＳ１０４で決定された受信系統１０のアンプ１２、チューナー１４、アナログデジタルコンバーター１５に対する電源供給を停止する（ステップＳ１０５）。
【００４９】
本実施の形態に係る車載受信装置１によれば、受信品質に影響を与える複数の影響項目が予め定められ、影響項目が示す受信状況に対応させて必要受信系統数を決める重みづけ係数が影響項目毎に設定され、車両走行中に各影響項目が示す受信状況からそれぞれの重みづけ係数を決定し、決定した重みづけ係数を用いて現在の通信環境での必要受信系統数を算出する。このため、車両の走行中において通信環境が刻々と変化する場合であっても、必要受信系統数の受信系統１０に対して電源供給を継続することができ、受信データの受信品質を維持しながら、電力消費を低減させることができる。
【００５０】
また、本実施の形態に係る車載受信装置１によれば、影響項目として、前記車両の走行中における移動速度、各受信系統１０で受信された受信信号のＣ／Ｎ及び電界強度、各受信系統１０でのマルチパス数が用いられる。このため、車両の移動速度が相対的に低くても、ビル陰等、受信品質が悪化し易い場合には、必要受信系統数を増加させることができる。例えば、受信系統総数が１０本である場合、移動速度係数Ｗｓｐが０．２であり、移動速度に応じた必要受信系統数が２本になる場合でも、Ｃ／Ｎ係数が１、電界強度係数が０．８、マルチパス係数が０．８となるような場合、必要受信系統数は、７本となる。このように、影響項目として、移動速度以外に、Ｃ／Ｎ、電界強度、マルチパス数などの受信状態を考慮することにより、必要受信系統数を適切に算出できる。
【００５１】
また、本実施の形態に係る車載受信装置１によれば、Ｃ／Ｎ検出部２１によって検出されたＣ／Ｎ又は／及び電界強度検出部２２によって検出された電界強度が悪い受信系統１０から順番に、電源供給を制限することを決定する。したがって、電源供給を行う受信系統１０を必要受信系統総数まで減らしても、受信データの所望の受信状況を維持することができる。
【００５２】
なお、本発明は上記実施の形態に限定されず、種々変更して実施することができる。上記実施の形態における各構成要素の配置、大きさなどは適宜変更して実施することが可能である。その他、本発明は、本発明の範囲を逸脱しないで適宜変更して実施することができる。
【符号の説明】
【００５３】
１…車載受信装置
１０…受信系統
１１…アンテナ
１２…アンプ
１３…アンプＤＣサプライ
１４…チューナー
１５…ＡＤＣ
２０…復調部
２１…Ｃ／Ｎ検出部
２２…電界強度検出部
２３…伝送路推定部
３０…復号回路
４０…再生装置
５０…移動速度検出部
６０…算出部
７０…電源制御部
【図１】
2013058851.tif 000003
【図２】
2013058851.tif 000004
【図３】
2013058851.tif 000005
【図４】
2013058851.tif 000006